(57)【特許請求の範囲】
【請求項１】
弾性および復元性を有する材質により形成され、円筒の一部を切欠いた形状を成して、円筒状の手すりの外周の任意の位置に対して着脱自在に取り付け可能な手すり取付部と、
操作されることにより呼出信号を生成して出力する呼出ボタンと、
前記手すり取付部に一体的に形成され、前記呼出ボタンを開口部に収容するスイッチケースとを備えた手すり用呼出装置であって、
前記手すり取付部と前記スイッチケースとの間に複数のスリットと複数の接合部とを交互に形成したことを特徴とする手すり用呼出装置。
【発明の詳細な説明】
【技術分野】
【０００１】
本発明は、車椅子用トイレ内の手すりに取り付け可能な手すり用呼出装置に関する。
【背景技術】
【０００２】
一般に、車椅子を使用している人が車椅子に乗ったまま入ることができるように、車椅子用トイレが存在する。このような車椅子用トイレでは、車椅子に乗っている人が他者の助けを必要とする際に押下する呼出ボタンが設置されていることがある。ここで、呼出ボタンが壁面などに設置されていると、車椅子に乗っている人が手を伸ばしても呼出ボタンに届かないケースが考えられる。
【０００３】
そのため、車椅子をトイレの所定の位置に停止させた状態で、車椅子に乗っている人が無理に手を伸ばさなくても呼出ボタンを操作することができるように、停止している車椅子の近傍に設けた手すりに呼出ボタンを備えた呼出装置を設置することが考えられる。その場合、弾性および復元性を有する材質により形成されており、円筒の一部を切欠いた形状を成していて、円筒状の手すりの外周に着脱自在とする手すり取付部と、この手すり取付部の上部に一体的に形成されたスイッチケースと、スイッチケースに収められ、可撓性を有する呼出ボタンとを備えたものが知られている（例えば、特許文献１など）。
【０００４】
しかしながら、特許文献１に記載の技術では、スイッチケースが手すり取付部に対して一体的に形成されているため、横長楕円の円筒状である手すり（以下、横長楕円の円筒手すりと記載する）に対して、円筒状を切欠いた形状である手すり取付部を大きく広げて取り付けた場合に、スイッチケースが邪魔になり、手すり取付部の内周面と手すりとの間に隙間ができてしまうという問題があった。
【先行技術文献】
【特許文献】
【０００５】
【特許文献１】特開２００３−１３５３１５号公報
【発明の概要】
【発明が解決しようとする課題】
【０００６】
本発明は、このような問題を解決するために成されたものであり、手すり用呼出装置を手すりに取り付けた際に、手すり取付部の内周面と手すりとの間に隙間ができないようにすることを目的とする。
【課題を解決するための手段】
【０００７】
上述した課題を解決するために、本発明では、弾性および復元性を有する材質により構成され、円筒の一部を切欠いた形状を成して、円筒状の手すりの外周の任意の位置に対して着脱自在に取り付け可能な手すり取付部と、この手すり取付部の上部に設けられ、呼出ボタンを収容するスイッチケースとを一体的に形成し、手すり取付部とスイッチケースとの間に複数のスリットと複数の接合部とを交互に形成するようにしている。
【発明の効果】
【０００８】
上記のように構成した本発明によれば、手すり取付部とスイッチケースとの間に複数のスリットおよび複数の接合部が形成されているので、横長楕円の円筒手すりに対して、円筒状を切欠いた形状である手すり取付部を広げて取り付けた場合に、手すり取付部が広げられても、複数のスリットにより形成される接合部のみに力が加わるため、手すり取付部をスイッチケースと独立して動かすことが可能となる。また、これに加えて、手すり取付部に弾性および復元性を持たせているため、手すりに取り付けた際に、手すり取付部の内周面と手すりとの間に隙間ができないようにすることができる。
【図面の簡単な説明】
【０００９】
【図１】本実施形態による手すり用呼出装置の外観を示す図である。
【図２】本実施形態による手すり用呼出装置を手すりに取り付けた常置を示す図である。
【発明を実施するための形態】
【００１０】
以下、本発明の一実施形態を図面に基づいて説明する。図１は、本実施形態による手すり用呼出装置の外観を示す図である。図１に示すように、本実施形態による手すり用呼出装置は、手すり取付部１、呼出ボタン２、スイッチケース３とを備えて構成されている。ここで、本実施形態の手すり用呼出装置は、病院や商業施設、駅などの公共施設に設けられている車椅子用トイレに設置されているパイプ状の手すりの任意の位置に着脱可能に取り付けられる。手すり取付部１は、弾性および復元性を有する樹脂などにより構成されており、円筒の底部を切欠いた形状を成している。ここで、手すり取付部１の円筒内周は、一般的な円筒形状の手すり（以下、円筒手すりと記載する）よりも少し小さいことが好ましい。これは、手すり取付部１の円筒内周面と円筒手すりの外周面とを密着させるためである。
【００１１】
呼出ボタン２は、可撓性を有する帯状のスイッチなどにより構成されており、一端にコード６が接続されている。ここで、呼出ボタン２の内部には接点部材である上部電極と同じく接点部材である下部電極とが間隙を介して帯状に形成されている。そのため、呼出ボタン２が押下されると、上部電極および下部電極が撓んで両者が接触する。すると、呼出ボタン２にて呼出信号が生成され、生成された呼出信号は、コード６を介して外部に出力される。なお、本実施形態では、呼出ボタン２を帯状のスイッチにより構成しているが、これに限定されない。例えば、呼出ボタン２を通常の押しボタンなどにより構成するようにしても良い。
【００１２】
スイッチケース３は、手すり取付部１の上部に一体的に形成されており、上部に設けた開口部に呼出ボタン２を収容する。ここで、開口部の中央には空間が形成されており、これにより、収容した呼出ボタン２を押下することが可能となる。また、一体的に形成された手すり取付部１とスイッチケース３との間には、複数のスリット４と複数の接合部５とが形成されている。また、複数のスリット４と複数の接合部５とは交互に形成されており、手すり取付部１とスイッチケース３との間を一周に渡って形成されている。また、スリット４は、少なくともスイッチケース３の長手方向の端部にそれぞれ形成されている。
【００１３】
コード６は、上述したように呼出ボタン２の一端に接続されており、スイッチケース３の開口部から手すり取付部１を介して外部に取り出される。取り出されたコード６の先端部分は、壁面などに設けられる図示しないウォールユニットに接続される。ウォールユニットは、図示しない親機などに接続されており、親機にて呼出信号を入力すると、親機は呼び出しが行われたことを報知する。
【００１４】
このように構成される手すり用呼出装置を手すりに取り付けた状態を、図２に基づいて説明する。手すり用呼出装置を図２（Ａ）に示すような円筒手すりに取り付ける場合、手すり取付部１を円筒手すりの太さよりも広げて、手すり取付部１を円筒手すりに取り付ける。このとき、手すり取付部１が円筒の底部を切欠いた形状を成しているとともに、手すり取付部１が弾性および復元性を有するため、手すり取付部１の円筒の内周面と円筒手すりの外周面とが密着することになる。
【００１５】
また、手すり用呼出装置を図２（Ｂ）に示すような横長楕円の円筒手すりに取り付ける場合、手すり取付部１を横長楕円の円筒手すりの太さよりも広げて、手すり取付部１を横長楕円の円筒手すりに取り付ける。このとき、手すり取付部１を広げても、複数のスリット４により形成される接合部５のみに力が加わるため、手すり取付部１がスイッチケース３と独立して動くことができる。すなわち、スイッチケース３が手すり取付部１の動きを邪魔しなくなる。このように、手すり取付部１が独立して動くことができるとともに、手すり取付部１が弾性および復元性を有するため、手すり取付部１の円筒の内周面と横長楕円の円筒手すりの外周面とが密着することになる。
【００１６】
以上詳しく説明したように、本実施形態によれば、弾性部材により構成され、円筒の一部を切欠いた形状を成しており、円筒状の手すりの外周の任意の位置に対して着脱自在に取り付け可能な手すり取付部１と、この手すり取付部１の上部に設けられ、呼出ボタン２を収容するスイッチケース３とを一体的に形成し、手すり取付部１とスイッチケース３との間に複数のスリット４と複数の接合部５とを形成するようにしている。
【００１７】
これにより、手すり取付部１とスイッチケース３との間に複数のスリット４および複数の接合部５が形成されているので、横長楕円の円筒手すりに対して、円筒状を切欠いた形状である手すり取付部１を広げて取り付けた場合に、手すり取付部１が広げられても、複数のスリット４により形成される接合部５のみに力が加わるため、手すり取付部１をスイッチケース３と独立して動かすことが可能となる。また、これに加えて、手すり取付部１に弾性および復元性を持たせているため、手すり用呼出装置を手すりに取り付けた際に、手すり取付部１と手すりとの間に隙間ができないようにすることができる。
【００１８】
なお、前述した実施形態では、手すり用呼出装置が手すり取付部１の上部にスイッチケース３を形成しているが、これに限定されない。例えば、手すり用呼出装置が手すり取付部１の左右の何れかにスイッチケース３を形成するようにしても良い。
【００１９】
また、前述した実施形態では、呼出ボタン２の一端にコード６を接続しているが、これに限定されない。例えば、呼出ボタン２を無線式とし、呼出ボタン２にコード６を接続しないようにしても良い。
【００２０】
また、前述した実施形態では、手すり取付部１とスイッチケース３とを一体的に形成しているが、これに限定されない。例えば、手すり取付部１とスイッチケース３とを別体とし、接合部材などで両者を接合して、接合部在の間に複数のスリット４が形成されるようにしても良い。
【００２１】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００２２】
１    手すり取付部
２    呼出ボタン
３    スイッチケース
４    スリット
５    接合部
６    コード
【図１】
0005814093.tif 000002
【図２】
0005814093.tif 000003